(57)【要約】【課題】  画像出力装置と画像表示装置がそれぞれＯＳＤ画像重畳機能を有する場合に、両者のＯＳＤ画像が同時表示されることを防止する。【解決手段】  表示制御部２１０は撮影画像又は再生画像にＣＰＵ２０１からの指示に従いＯＳＤ画像を重畳する。表示制御部２１０は、画像のみ又はＯＳＤ画像を重畳した画像をＬＣＤ２１１及び外部インターフェース２０９を介して液晶ディスプレイ１００に供給する。表示制御部１０７は、外部インターフェース１０９からの画像にＣＰＵ１０１からの指示に従うＯＳＤ画像を重畳する。カメラ２００及び液晶ディスプレイ１００はＯＳＤ表示状態を相互に相手に通知する。表示制御部２１０は液晶ディスプレイ１００がＯＳＤ画像を重畳するときＯＳＤ画像を重畳しない。表示制御部１０７はカメラ２００がＯＳＤ画像を重畳した画像を出力するときＯＳＤ画像を重畳しない。【選択図】  図１
2013090243.tif 000002
【特許請求の範囲】
【請求項１】
ＯＳＤ画像重畳手段を具備する画像表示装置に画像を出力する画像出力装置であって、
画像生成手段と、
ＯＳＤ画像を生成するＯＳＤ画像生成手段と、
前記画像生成手段により生成される画像か、前記画像生成手段により生成される画像に前記ＯＳＤ画像を重畳した画像の何れかを前記画像表示装置に出力する出力手段と、
前記画像表示装置と通信する通信手段と、
前記画像表示装置からの所定制御信号に従い、前記画像生成手段により生成される画像を前記画像表示装置に出力するように前記出力手段を制御する制御手段
とを具備することを特徴とする画像出力装置。
【請求項２】
前記所定制御信号が、前記画像表示装置における前記ＯＳＤ画像重畳手段によるＯＳＤ表示状態を示すＯＳＤ表示状態信号であることを特徴とする請求項１に記載の画像出力装置。
【請求項３】
前記所定制御信号が、前記画像出力装置に前記ＯＳＤ画像の重畳をしないように要求する信号であることを特徴とする請求項１に記載の画像出力装置。
【請求項４】
画像生成手段と、
ＯＳＤ画像を生成するＯＳＤ画像生成手段と、
前記画像生成手段により生成される画像か、前記画像生成手段により生成される画像に前記ＯＳＤ画像を重畳した画像の何れかを外部に出力する出力手段と、
前記出力手段が前記画像生成手段により生成される画像に前記ＯＳＤ画像を重畳した画像を出力していることを外部に送信する通信手段
とを具備することを特徴とする画像出力装置。
【請求項５】
ＯＳＤ画像重畳手段を具備する画像出力装置から供給される画像を表示する画像表示装置であって、
前記画像出力装置と通信する通信手段と、
ＯＳＤ画像を生成するＯＳＤ画像生成手段と、
前記通信手段により前記画像出力装置から受信した画像か、前記画像に前記ＯＳＤ画像を重畳した画像の何れかを表示する表示手段と、
前記画像出力装置からの所定制御信号に従い、前記画像出力装置から受信した画像を表示するように前記表示手段を制御する制御手段
とを具備することを特徴とする画像表示装置。
【請求項６】
前記所定制御信号が、前記画像出力装置における前記ＯＳＤ画像重畳手段によるＯＳＤ表示状態を示すＯＳＤ表示状態信号であることを特徴とする請求項５に記載の画像表示装置。
【請求項７】
前記所定制御信号が、前記画像表示装置に、前記画像出力装置から受信した画像に前記ＯＳＤ画像を重畳した画像の前記表示手段による表示をしないように要求する信号であることを特徴とする請求項５に記載の画像表示装置。
【請求項８】
画像出力装置からの画像を受信する手段と、
ＯＳＤ画像を生成するＯＳＤ画像生成手段と、
前記画像出力装置から受信した画像か、前記画像出力装置から受信した画像に前記ＯＳＤ画像を重畳した画像の何れかを表示する表示手段と、
前記表示手段が前記画像出力装置から受信した画像に前記ＯＳＤ画像を重畳した画像を表示していることを前記画像出力装置に送信する通信手段
とを具備することを画像表示装置。
【請求項９】
請求項１乃至４の何れか１項に記載の画像出力装置と、
請求項５乃至８の何れか１項に記載の画像表示装置であって、前記画像出力装置からの画像を表示する画像表示装置
とを有することを特徴とする画像表示システム。
【発明の詳細な説明】
【技術分野】
【０００１】
本発明は、画像出力装置及び画像表示装置に関する。
【背景技術】
【０００２】
従来、表示装置では、表示装置の操作のための画像や、表示している画像に関する情報、装置の状態に関する情報などを、映像に多重して表示している（例えば、特許文献１参照）。この様に映像に多重して表示される画像をＯＳＤ（On Screen Display）画像と呼ぶ。
【０００３】
表示装置に映像信号を出力する機器として、ＤＶＤ再生装置やデジタルカメラなどがある。この様な映像出力機器も、ユーザが機器を操作する際、ＯＳＤ画像を表示することが多い。
【先行技術文献】
【特許文献】
【０００４】
【特許文献１】特開２００９−１４１７４７号公報
【発明の概要】
【発明が解決しようとする課題】
【０００５】
ＯＳＤ画像を表示可能なデジタルカメラ等の画像出力装置の出力画像を、独立にＯＳＤ画像を表示可能な画像表示装置に供給して表示する場合、両者のＯＳＤ画像が重畳されることがあり、非常に見づらい画像になってしまう。
【０００６】
本発明は、この様な不都合を生じないようにした画像出力装置及び画像表示装置を提示することを目的とする。
【課題を解決するための手段】
【０００７】
本発明に係る画像出力装置は、ＯＳＤ画像重畳手段を具備する画像表示装置に画像を出力する画像出力装置であって、画像生成手段と、ＯＳＤ画像を生成するＯＳＤ画像生成手段と、前記画像生成手段により生成される画像か、前記画像生成手段により生成される画像に前記ＯＳＤ画像を重畳した画像の何れかを前記画像表示装置に出力する出力手段と、前記画像表示装置と通信する通信手段と、前記画像表示装置からの所定制御信号に従い、前記画像生成手段により生成される画像を前記画像表示装置に出力するように前記出力手段を制御する制御手段とを具備することを特徴とする。
【０００８】
本発明に係る画像出力装置は、画像生成手段と、ＯＳＤ画像を生成するＯＳＤ画像生成手段と、前記画像生成手段により生成される画像か、前記画像生成手段により生成される画像に前記ＯＳＤ画像を重畳した画像の何れかを外部に出力する出力手段と、前記出力手段が前記画像生成手段により生成される画像に前記ＯＳＤ画像を重畳した画像を出力していることを外部に送信する通信手段とを具備することを特徴とする。
【０００９】
本発明に係る画像表示装置は、ＯＳＤ画像重畳手段を具備する画像出力装置から供給される画像を表示する画像表示装置であって、前記画像出力装置と通信する通信手段と、ＯＳＤ画像を生成するＯＳＤ画像生成手段と、前記通信手段により前記画像出力装置から受信した画像か、前記画像に前記ＯＳＤ画像を重畳した画像の何れかを表示する表示手段と、前記画像出力装置からの所定制御信号に従い、前記画像出力装置から受信した画像を表示するように前記表示手段を制御する制御手段とを具備することを特徴とする。
【００１０】
本発明に係る画像表示装置は、画像出力装置からの画像を受信する手段と、ＯＳＤ画像を生成するＯＳＤ画像生成手段と、前記画像出力装置から受信した画像か、前記画像出力装置から受信した画像に前記ＯＳＤ画像を重畳した画像の何れかを表示する表示手段と、前記表示手段が前記画像出力装置から受信した画像に前記ＯＳＤ画像を重畳した画像を表示していることを前記画像出力装置に送信する通信手段とを具備することを画像表示装置。
【発明の効果】
【００１１】
本発明によれば、ＯＳＤ画像重畳機能を有する画像出力装置からの画像をＯＳＤ画像重畳機能を有する画像表示装置で表示する場合に、両者のＯＳＤ画像が同時表示されることを防止できる。これにより、見やすい画像表示を実現できる。
【図面の簡単な説明】
【００１２】
【図１】本発明の一実施例の概略構成ブロック図である。
【図２】本実施例の外観と接続を示す概略図である。
【図３】本実施例における液晶ディスプレイの動作フローチャートである。
【図４】本実施例の液晶ディスプレイへの入力画像例である。
【図５】本実施例の液晶ディスプレイのＯＳ画像例である。
【図６】本実施例の液晶ディスプレイの表示画像例である。
【図７】本実施例のデジタルカメラの動作フローチャートである。
【図８】本実施例のデジタルカメラの背面図である。
【図９】本実施例のデジタルカメラで生成された画像の例である。
【図１０】本実施例のデジタルカメラのＯＳＤ画像例である。
【図１１】本実施例のデジタルカメラで撮影画像にＯＳＤ画像を重畳した画像例である。
【図１２】デジタルカメラのＯＳＤ画像と液晶ディスプレイのＯＳＤ画像の両方が重畳去れた表示画像例である。
【発明を実施するための形態】
【００１３】
以下、図面を参照して、本発明の実施例を詳細に説明する。
【実施例１】
【００１４】
図１は、本発明の一実施例である画像表示システムの概略構成ブロック図を示す。本実施例は、ＯＳＤ画像を表示可能な画像出力装置としてのデジタルカメラ２００を、独立にＯＳＤ画像を表示可能な画像表示装置としての液晶ディスプレイ１００にＨＤＭＩケーブル３００で接続した構成からなる。なお、以下の説明では、副次画像又は副次映像をＯＳＤ画像又はＯＳＤ映像と呼び、カメラ２００の撮影画像（又はその再生画像）を主画像と呼ぶ。また、カメラ２００のＯＳＤ画像を出力側ＯＳＤ画像と呼び、液晶ディスプレイ１００のＯＳＤ画像を表示側ＯＳＤ画像と呼ぶ。
【００１５】
液晶ディスプレイ１００の構成を簡単に説明する。１０１は、液晶ディスプレイ１００全体の制御を司るＣＰＵであり、後述の各ユニットを制御する。ＣＰＵ１０１はまた、ＯＳＤ画像を生成するＯＳＤ画像生成手段としても機能する。１０２は、液晶ディスプレイ１００を制御するプログラムとプログラムが使用するデータを格納するＲＯＭである。液晶ディスプレイ１００に電源が投入されると、ＣＰＵ１０１はＲＯＭ１０２からプログラムを読み込み、液晶ディスプレイ１００の制御を開始する。
【００１６】
１０３は、液晶ディスプレイ１００を制御するプログラムが作業領域として使用するための書き換え可能なメモリ（ＲＡＭ）である。ＣＰＵ１０１は、外部から入力された信号とユーザの操作に応じてＲＡＭ１０３上に表示するための画像データを生成する。ＲＡＭ１０３は、表示制御部１０７が処理する画像データを一時保存するビデオバッファとしても使用される。
【００１７】
１０４は書き換え可能な不揮発性メモリ（ＮＶＲＡＭ）である。ＮＶＲＡＭ１０４には、ユーザインターフェースユニット１０５又はＲＣＵ１０６でユーザの指定した設定値、及び、液晶ディスプレイ１００がパワーサイクルを超えて保持する必要のあるパラメータが格納される。
【００１８】
１０５は、電源の投入及び外部インターフェース１０９で使用する入力端子を選択などの基本的な操作を行うためボタンと動作状態を示すＬＥＤ等からなるユーザインターフェースである。
【００１９】
１０６は、液晶ディスプレイ１００を遠隔操作するリモートコントローラユニット（ＲＣＵ）である。ＲＣＵ１０６は複数のボタンを有する。ＲＣＵ１０６は、ユーザの操作に応じた信号を赤外線通信によりＣＰＵ１０１に送信する。
【００２０】
１０７は、ＲＡＭ１０３上の画像データを読み出して液晶表示素子（ＬＣＤ）１０８に画像表示させる表示制御部である。表示制御部１０７は、２つの画像データを合成（アルファブレンディング）して出力することができ、副次画像合成手段又はＯＳＤ画像重畳手段として機能する。ＬＣＤ１０８は、表示制御部１０７の出力信号に従う画像を表示する。
【００２１】
１０９は、外部装置、ここではカメラ２００との間で画像音声データと種々の制御信号を通信する外部インターフェースであり、制御信号は双方向に伝送可能である。外部インターフェース１０９は、例えば、ＨＤＭＩ（登録商標）端子、ＩＥＥＥ１３９４端子又はＵＳＢ端子と、通信ＩＣとからなる。外部インターフェース１０９により受信された信号は、ＲＡＭ１０３に順次格納される。本実施例では、外部インターフェース１０９として、ＣＥＣ信号をサポートするＨＤＭＩ入力端子を利用する。
【００２２】
１１０は、上記各要素間でデータを伝送するシステムバスである。
【００２３】
デジタルカメラ２００は画像出力装置の一例であり、以下の構成からなる。２０１は、デジタルカメラ２００全体の制御を司るＣＰＵである。ＣＰＵ２０１は、後述する各ユニットを制御して、ユーザの設定と操作に応じて撮影画像を記録すると共に画像を表示又は出力する。
【００２４】
２０２は、デジタルカメラ２００を制御するプログラムとプログラムが使用するデータを格納するＲＯＭである。デジタルカメラ２００に電源が投入されると、ＣＰＵ２０１はＲＯＭ２０２からプログラムを読み込み、デジタルカメラ２００の制御を開始する。ＣＰＵ２０１はまた、ＯＳＤ画像を生成するＯＳＤ画像生成手段としても機能する。
【００２５】
２０３は、デジタルカメラ２００を制御するプログラムが作業領域として使用するＲＡＭである。ＲＡＭ２０３は、撮像制御部２０８の出力する画像データを一時保存するバッファとしても、表示制御部２１０が処理する画像データを一時保存するビデオバッファとしても使用される。
【００２６】
２０４は書き換え可能な不揮発性メモリ（ＮＶＲＡＭ）である。ＮＶＲＡＭ２０４には、ユーザインターフェースユニット２１２でユーザの指定した設定値、及びデジタルカメラ２００がパワーサイクルを超えて保持する必要のあるパラメータ等が格納される。
【００２７】
２０５は、絞り・ズーム・フォーカス機能を備えた光学レンズユニットである。２０６は、ＣＰＵ２０１からの指示に従い、光学レンズユニット２０５を制御する光学制御ユニットである。具体的には、光学制御ユニット２０６は、光学レンズユニット２０５の絞り・ズーム・フォーカスを変更できる。
【００２８】
２０７は、光学レンズユニット２０５により生成される被写体光学像を電気信号に変換する撮像素子である。一般的には、ＣＭＯＳを利用したＣＭＯＳ撮像素子（ＣＭＯＳイメージセンサ）か、ＣＣＤを利用したＣＣＤ撮像素子（ＣＣＤイメージセンサ）が利用される。
【００２９】
２０８は、ＣＰＵ２０１からの指示に従い、撮像素子２０７を制御する撮像制御部である。具体的には、撮像制御部２０８は、撮像素子２０７の感度調整（ゲインコントロール）などの撮影パラメータに従い撮像素子２０７から画像信号を読み出す。撮像素子２０７及び撮像制御部２０８は、特許請求の範囲の画像生成手段として機能する。
【００３０】
２０９は、外部インターフェース１０９と対をなす外部インターフェースであり、液晶ディスプレイ１００に画像音声データを送信し、液晶ディスプレイ１００との間で種々の制御信号を通信できる。制御信号は双方向に伝送可能である。外部インターフェース２０９は、例えば、ＨＤＭＩ（登録商標）端子、ＩＥＥＥ１３９４端子又はＵＳＢ端子と、通信ＩＣとからなる。外部インターフェース２０９上の信号のうち画像データは表示制御部２１０が扱い、制御にかかわる信号はＣＰＵ２０１が扱う。本実施例では、外部インターフェース２０９として、ＣＥＣ信号をサポートするＨＤＭＩ入力端子を利用する。
【００３１】
２１０は、デジタルカメラ２００において画像出力処理を行う表示制御部である。表示制御部２１０は、ＲＡＭ２０３上の画像データを読み出し、供給先に応じた形式で外部インターフェース２０９及び／又は液晶表示素子（ＬＣＤ）２１１に供給する。表示制御部２１０は、２つの画像データを合成（アルファブレンディング）して出力することができ、副次画像合成手段又はＯＳＤ画像重畳手段として機能する。ＬＣＤ２１１は、表示制御部２１０の出力信号に従う画像を表示する。
【００３２】
２１２は、ユーザの指示をデジタルカメラ２００に伝えるためのユーザインターフェースユニット（ＵＩユニット）である。ユーザインターフェースユニット２１２は、複数の各種ボタンとダイヤル等により構成される。
【００３３】
２１３は、ＣＰＵ２０１からの指示に従い、データを保持する記録媒体である。記録媒体２１３は、例えば、不揮発性半導体メモリを着脱可能なカード形状にしたものからなる。記録媒体２１３には、撮像制御部２０８が出力する画像データからＣＰＵ２０１により生成された画像ファイル（ＪＰＥＧデータ又はＥＸＩＦデータ）が格納される。ＣＰＵ２０１は、記録媒体２１３に格納されている画像ファイルを読み出し、ＲＡＭ２０３に画像データとして展開できる。
【００３４】
２１４は、上述の各要素間でデータ及び制御信号を伝送するシステムバスである。
【００３５】
図２は、図１に示す実施例の外観図である。図２に示すように、液晶ディスプレイ１００とデジタルカメラ２００は、ＨＤＭＩケーブル３００で接続されている。ユーザはＲＣＵ１０６を用いて液晶ディスプレイ１００を操作し、ＬＣＤ１０８に表示すべき画像の入力端子として外部インターフェース１０９を選択できる。ユーザはまた、ＵＩユニット２１２を用いてデジタルカメラ２００を操作し、ＬＣＤ２１１に表示すべき画像データを選択できる。
【００３６】
デジタルカメラ２００と液晶ディスプレイ１００がＨＤＭＩケーブル３００で接続さている場合、液晶ディスプレイ１００は、ＬＣＤ１０８に、カメラ２００のＬＣＤ２１１に表示されている画像と同じ画像を表示する。このための動作を説明する。
【００３７】
図３は、液晶ディスプレイ１００の動作フローチャートを示す。図４乃至図６は、説明例としての表示画像例を示す。図４は、カメラ２００から液晶ディスプレイ１００に送信される画像データの画像例を示す。図５は、液晶ディスプレイ１００で生成されるＯＳＤ画像例を示す。図６は、液晶ディスプレイ１００において、カメラ２００からの画像に自身の生成するＯＳＤ画像（図５）を重畳して表示する画像例を示す。
【００３８】
ステップＳ３０１で、ＣＰＵ１０１は、外部インターフェース１０９から入力されたカメラ２００からの画像データを、ＲＡＭ１０３を介して表示制御部１０７に転送する。ここでの受信画像は、カメラ２００で撮影中の画像又は再生画像である主画像のみか、若しくは、主画像にカメラ２００のＯＳＤ画像が重畳された画像である。
【００３９】
ステップＳ３０２で、ＣＰＵ１０１は、リモートコントローラユニット１０６におけるユーザの操作状況に応じたＯＳＤ表示状況を確認する。ＯＳＤ表示状況は、「ＯＳＤ表示無し」、「ＯＳＤ表示開始」、「ＯＳＤ表示中」及び「ＯＳＤ表示終了」の４つの状態からなる。例えば、ＯＳＤ画像が表示されていない状態でユーザがリモートコントローラユニット１０６の情報ボタン（図示せず）を押すと、表示中の画像に関する情報がＯＳＤ画像として重畳表示され、「ＯＳＤ表示開始」という状態になる。「ＯＳＤ表示無し」の場合はステップＳ３１０に、「ＯＳＤ表示開始」の場合はステップＳ３０３に、「ＯＳＤ表示中」の場合はステップＳ３０４に、「ＯＳＤ表示終了」の場合はステップＳ３０９にそれぞれ進む。
【００４０】
ステップＳ３０３では、ＣＰＵ１０１は、ＯＳＤ画像の表示が開始されたことを、ＯＳＤ制御に関する所定制御信号として外部インターフェース１０９を通じてデジタルカメラ２００に通知する。具体的には、ＣＰＵ１０１は、ＨＤＭＩ  ＣＥＣコマンドを使用して、ＯＳＤ画像の表示開始を示すメッセージからなるＯＳＤ表示状態信号をカメラ２００に送信する。
【００４１】
ステップＳ３０４〜Ｓ３０８は、液晶ディスプレイ１００におけるＯＳＤ画像表示の処理である。ステップＳ３０４では、ＣＰＵ１０１は、表示すべきＯＳＤ画像データをＲＡＭ１０３に生成する。例えば、ユーザがリモートコントローラユニット１０６の情報ボタンを押したとすると、図５に示すような、現在使用している外部インターフェースとその解像度・ボリュームなどの情報を示すＯＳＤ画像が生成される。
【００４２】
ステップＳ３０５で、ＣＰＵ１０１は、デジタルカメラ２００からＯＳＤ開始メッセージを受信したか否かを判定する。このＯＳＤ開始メッセージの伝送には、ＨＤＭＩ  ＣＥＣコマンドが使用される。詳細は後述するが、このＯＳＤ開始メッセージは、図７のステップＳ７０３においてデジタルカメラ２００が液晶ディスプレイ１００に送信する。ＯＳＤ開始メッセージを受信していない場合、ＣＰＵ１０１は、ＯＳＤ画像を表示するためにステップＳ３０８に進む。
【００４３】
デジタルカメラ２００からＯＳＤ開始メッセージを受信している場合、ステップＳ３０６で、ＣＰＵ１０１は、デジタルカメラ２００からＯＳＤ終了メッセージを受信したか否かを判定する。このＯＳＤ終了メッセージの伝送にも、ＨＤＭＩ  ＣＥＣコマンドが使用される。詳細は後述するが、このＯＳＤ終了メッセージは、図７のステップＳ７０９においてデジタルカメラ２００が液晶ディスプレイ１００に送信する。ＯＳＤ終了メッセージを受信していない場合、ＣＰＵ１０１は、ＯＳＤ画像を表示することなしに、ステップＳ３１０に進む。
【００４４】
ステップＳ３０５とステップＳ３０６は、画像出力装置からのメッセージ受信状況から画像表示装置においてＯＳＤを表示するか否かを判定する処理である。
【００４５】
ステップＳ３０７で、ＣＰＵ１０１は、ステップＳ３０５とステップＳ３０６で判定したメッセージの受信状況をクリアする。すなわち、ＯＳＤ開始メッセージとＯＳＤ終了メッセージをともに受信していない状態（初期状態）とする。
【００４６】
ステップＳ３０８で、ＣＰＵ１０１は、ステップＳ３０４で生成したＯＳＤ画像データを表示制御部１０７に転送する。表示制御部１０７は、このＯＳＤ画像データをステップＳ３０１で転送された画像データに合成する。例えば、図４に示す受信画像に対して、図５に示すＯＳＤ画像を重畳した図６に示すような画像が生成される。
【００４７】
ステップＳ３０９で、ＣＰＵ１０１は、ＯＳＤ表示の終了を、外部インターフェース１０９を介してデジタルカメラ２００に通知する。この通知にも、ＨＤＭＩ  ＣＥＣコマンドが使用される。
【００４８】
ステップＳ３１０で、ＣＰＵ１０１は、表示制御部１０７を制御して、ＬＣＤ１０８に画像を表示させる。表示される画像は、ステップＳ３０８を経由した場合は、ステップＳ３０８で生成される合成画像であり、ステップＳ３０８を経ていない場合、ステップＳ３０１で受信した受信画像である。
【００４９】
このように、液晶ディスプレイ１００は、ＯＳＤ表示の開始と終了を所定のメッセージでデジタルカメラ２００に通知すると共に、デジタルカメラ２００がＯＳＤ表示中でないときにのみ、自身のＯＳＤ画像を合成表示する。すなわち、デジタルカメラ２００がＯＳＤ画像を合成表示しているときには、液晶ディスプレイ１００はＯＳＤ画像を受信画像に合成せずに、受信画像のみを表示する。デジタルカメラ２００がＯＳＤ画像の合成（すなわち、表示）を終了すると、液晶ディスプレイ１００は、必要に応じてＯＳＤ画像を合成表示する。
【００５０】
図７は、デジタルカメラ２００の動作フローチャートを示す。図８は、カメラ２００で撮影しているときにＬＣＤ２１１に表示される画像例を示し、図９は、撮影画像例を示す。図１０は、赤目補正のために表示されるＯＳＤ画像例を示す。
【００５１】
ステップＳ７０１で、ＣＰＵ２０１は、撮影モードでは撮像制御部２０８が出力した画像データをＲＡＭ２０３に格納し、表示制御部２１０がＲＡＭ２０３の画像データを読み出し、図８に示すようにＬＣＤ２１１に表示する。再生モードでは、ＣＰＵ２０１は、記録媒体２１３に格納されている画像ファイルの圧縮画像データを伸長してＲＡＭ２０３に格納し、表示制御部２１０がＲＡＭ２０３の画像データを読み出し、ＬＣＤ２１１に表示する。
【００５２】
ステップＳ７０２で、ＣＰＵ２０１は、ＵＩユニット２１２に対するユーザ操作に応じたＯＳＤ表示状況を確認する。ＯＳＤ表示状況は、「ＯＳＤ表示無し」、「ＯＳＤ表示開始」、「ＯＳＤ表示中」及び「ＯＳＤ表示終了」の４つの状態からなる。例えば、ＯＳＤ画像が表示されていない状態でユーザがＵＩユニット２１２の詳細表示ボタン（図示せず）を押すと、表示中の画像の詳細情報がＯＳＤ画像として重畳表示され、「ＯＳＤ表示開始」という状態になる。「ＯＳＤ表示無し」の場合はステップＳ７１０に、「ＯＳＤ表示開始」の場合はステップＳ７０３に、「ＯＳＤ表示中」の場合はステップＳ７０４に、「ＯＳＤ表示終了」の場合はステップＳ７０９にそれぞれ進む。
【００５３】
ステップＳ７０３では、ＣＰＵ２０１は、ＯＳＤ画像の表示が開始されたことを、ＯＳＤ制御に関する所定制御信号として外部インターフェース２０９を通じて液晶ディスプレイ１００に通知する。具体的には、ＣＰＵ２０１は、ＨＤＭＩ  ＣＥＣコマンドを使用して、ＯＳＤ画像の表示開始を示すメッセージを含むＯＳＤ表示状態信号を液晶ディスプレイ１００に送信する。
【００５４】
ステップＳ７０４〜Ｓ７０８は、カメラ２００におけるＯＳＤ画像表示の処理である。ステップＳ７０４では、ＣＰＵ２０１は、表示すべきＯＳＤ画像データをＲＡＭ２０３に生成する。例えば、ＵＩユニット２１２のメニューを操作して赤目補正機能を選択したとすると、図１０に示すような操作説明を含むＯＳＤ画像が生成される。
【００５５】
ステップＳ７０５で、ＣＰＵ２０１は、液晶ディスプレイ１００からＯＳＤ開始メッセージを受信したか否かを判定する。このＯＳＤ開始メッセージの伝送には、ＨＤＭＩ  ＣＥＣコマンドが使用される。上述の通り、このＯＳＤ開始メッセージは、図３のステップＳ３０３において液晶ディスプレイ１００がカメラ２００に送信する。ＯＳＤ開始メッセージを受信していない場合、ＣＰＵ２０１は、ＯＳＤ画像を表示するためにステップＳ７０８に進む。
【００５６】
液晶ディスプレイ１００からＯＳＤ開始メッセージを受信している場合、ステップＳ７０６で、ＣＰＵ２０１は、液晶ディスプレイ１００からＯＳＤ終了メッセージを受信したか否かを判定する。このＯＳＤ終了メッセージの伝送にも、ＨＤＭＩ  ＣＥＣコマンドが使用される。上述の通り、このＯＳＤ終了メッセージは、図３のステップＳ３０９において液晶ディスプレイ１００がデジタルカメラ２００に送信する。ＯＳＤ終了メッセージを受信していない場合、ＣＰＵ２０１は、ＯＳＤ画像を表示することなしに、ステップＳ７１０に進む。
【００５７】
ステップＳ７０５とステップＳ７０６は、画像表示装置からのメッセージ受信状況から画像出力装置においてＯＳＤを表示するか否かを判定する処理である。
【００５８】
ステップＳ７０７で、ＣＰＵ２０１は、ステップＳ７０５とステップＳ７０６で判定したメッセージの受信状況をクリアする。すなわち、ＯＳＤ開始メッセージとＯＳＤ終了メッセージをともに受信していない状態（初期状態）とする。
【００５９】
ステップＳ７０８で、ＣＰＵ２０１は、ステップＳ７０４で生成したＯＳＤ画像データを表示制御部２１０に転送する。表示制御部２１０は、このＯＳＤ画像データをステップＳ７０１で生成された画像データに合成する。例えば、図９に示す画像に対して、図１０に示すＯＳＤ画像を重畳する。これにより、図１１に示すような画像が生成される。
【００６０】
ステップＳ７０９で、ＣＰＵ２０１は、ＯＳＤ表示の終了を、外部インターフェース２０９を介して液晶ディスプレイ１００に通知する。この通知にも、ＨＤＭＩ  ＣＥＣコマンドが使用される。
【００６１】
ステップＳ７１０で、ＣＰＵ２０１は、表示制御部２１０を制御して、ＬＣＤ２１１に画像を表示させる。表示される画像は、ステップＳ７０８を経由した場合は、ステップＳ７０８で生成される合成画像であり、ステップＳ７０８を経ていない場合、ステップＳ７０１で生成した画像（撮影画像又は再生画像）である。
【００６２】
このように、デジタルカメラ２００は、ＯＳＤ表示の開始と終了を所定のメッセージで液晶ディスプレイ１００に通知すると共に、液晶ディスプレイ１００がＯＳＤ表示中でないときにのみ、自身のＯＳＤ画像を合成して出力する。すなわち、液晶ディスプレイ１００がＯＳＤ画像を合成表示しているときには、デジタルカメラ２００はＯＳＤ画像を合成せずに撮影画像又は再生画像を液晶ディスプレイ１００に出力する。液晶ディスプレイ１００がＯＳＤ画像の合成表示を終了すると、デジタルカメラ２００は、必要に応じてＯＳＤ画像を合成した撮影画像又は再生画像を液晶ディスプレイ１００に出力する。
【００６３】
このような処理により、本実施例では、図１２に示すように、液晶ディスプレイ１００の画面上で、カメラ２００のＯＳＤ画像と液晶ディスプレイ１００のＯＳＤ画像の両方が主画像に重畳して表示されることを防止できる。
【００６４】
また、本実施例では、液晶ディスプレイ１００とデジタルカメラ２００の間でＯＳＤ表示状況を相互に通知し、相手方のＯＳＤ表示状況に応じて自身のＯＳＤ表示状況を制御する。これにより、液晶ディスプレイ１００の画面上では、液晶ディスプレイ１００とデジタルカメラ２００でＯＳＤ表示を早期に開始した方の当該ＯＳＤ表示のみが有効になる。すなわち、ユーザの希望を優先した片方のＯＳＤ表示のみが有効になるので、表示される画像が、ユーザの意図を反映した見易いものとなる。
【００６５】
画像表示装置と画像出力装置との間で伝送されるＯＳＤ開始メッセージとＯＳＤ終了メッセージは、それぞれ、ＯＳＤ停止要求メッセージとＯＳＤ再開要求メッセージであってもよい。
【００６６】
画像表示装置の一例として液晶ディスプレイを説明したが、本発明は、これに限定されない。例えば、各種方式のテレビジョン・プロジェクタも、画像表示装置として適用できる。
【００６７】
画像出力装置の一例としてデジタルカメラを説明したが、本発明はこれに限定されない。例えば、カムコーダ、ＤＶＤプレーヤ及びＨＤＤレコーダなども、画像出力装置として適用できる。
【００６８】
画像表示装置と画像出力装置を接続するデータ伝送媒体としてＨＤＭＩケーブルを説明したが、本発明は、これに限定されない。少なくても一方向の映像伝送と双方向の制御信号伝送ができる通信媒体であれば、利用可能である。例えば、ＩＥＥＥ１３９４ケーブル又はディスプレイポート（商標）等が利用できる。また、アナログコンポジット信号とＲＳ２３２Ｃなどを組み合わせても実現できる。
【図１】
2013090243.tif 000003
【図２】
2013090243.tif 000004
【図３】
2013090243.tif 000005
【図４】
2013090243.tif 000006
【図５】
2013090243.tif 000007
【図６】
2013090243.tif 000008
【図７】
2013090243.tif 000009
【図８】
2013090243.tif 000010
【図９】
2013090243.tif 000011
【図１０】
2013090243.tif 000012
【図１１】
2013090243.tif 000013
【図１２】
2013090243.tif 000014